(57)【特許請求の範囲】
【請求項１】
シャーシケース内でディスクトレイを前進後退させて記録媒体とともにロード／アンロードを行うとともに、前記ディスクトレイをロードしたときにイジェクト／ロック機構（Ｂ）のロックレバー（Ｂ１）がロックピンと係合してロード状態が固定されるディスク装置において、
前記ディスクトレイ又は前記シャーシケースの何れか一方に揺動可能に設けられ、ロード状態において、前記ディスクトレイ又は前記シャーシケースの何れか他方と係合するロックレバー（７）と、
ロード状態において、前記ディスクトレイがアンロードする方向へ移動する衝撃荷重を受けたとき、前記ロックレバー（７）の方向にスライドして該ロックレバー（７）と接触し、該ロックレバー（７）の係合解除方向への揺動を阻止するスライダーブロック（８）と、
を有するロック機構（Ｃ）を設けたことを特徴とするディスク装置。
【発明の詳細な説明】
【０００１】
【発明の属する技術分野】
本発明は、各種コンピュータシステムなどにおいて大量の情報を記録する記録媒体としての光ディスク（例えば、ＣＤ−Ｒ／ＲＷ、ＤＶＤ−Ｒ／ＲＷなど）をドライブするディスク装置に関するものである。
【０００２】
【従来の技術】
一般に、パーソナルコンピュータ（以下、パソコンという）は、光ディスクへ情報の記録再生を行うため、ディスク装置を欠かすことができず、パソコン本体に内蔵するか、いわゆる外付けとしてケーブルで接続するようにしている。
【０００３】
図６はディスク装置を内蔵したノート型パソコンの外観を示すもので、通常、ディスク装置Ｄはパソコン本体の側部に内蔵され、スイッチ操作あるいはパソコンからの指令によりディスクトレイ１０１のベゼル１０２の部分がポップアウトし、さらにパソコンの使用者がディスクトレイ１０１を引き出し、光ディスクを装填するようにしている。
【０００４】
このようなディスク装置Ｄは、図７に示すごとくディスクトレイ１０１の中央に、直下に配したスピンドルモータの駆動軸に固定されたターンテーブル１０３が配置され、このターンテーブルで光ディスクの中心孔をクランプし、回転力を伝達するようにしている。また、光ピックアップを主体にしたヘッドユニット１０４は、ディスクトレイに形成されたスリット１０１ａ内を半径方向に往復動し、光ディスクへの情報の記録再生を行うようにしている。そして、このように構成されているディスクトレイ１０１は、ガイドレール１０５に案内されてシャーシケース１０６内に収まる。
【０００５】
さらに、ディスク装置は、通常、ディスクトレイをロードしたとき、そのロード状態を固定、即ち、ロックするためのイジェクト／ロック機構を備えており、これをディスクトレイに備えた本願出願人による提案の一例を図８に示す。同図のイジェクト／ロック機構１０７は、ロックレバー１０８および自己保持型ソレノイド１０９を主体に構成したもので、シャーシケース１０６の底板から立ち上げて固定したロックピン１１０がロックレバー１０８と係合してディスクトレイ１０１をロックするようにしている。
【０００６】
【発明が解決しようとする課題】
ところで、近年のノート型パソコンは薄型化が進行し、多くの半導体集積回路などの電子部品を備えた配線基板をディスクトレイに実装する傾向にあり、その実装密度が高くなってきたことから、ディスクトレイ自体の重量が大きくなっている。
【０００７】
また、ノート型パソコンは可搬性が高いことから、屋外、例えば、スポーツ競技の会場や展示会の会場、あるいは学術会議、シンポジュームの会場などへ頻繁に持ち運ばれている。ところが、思わぬ不手際によりパソコン本体を落下させ、衝撃を与えてしまうことがあり、特に使用不能となる致命的な破損としてディスクトレイの飛び出し、即ち、ディスクトレイのロード状態をロックできなくなり、情報の記録再生が不能となる事故が多くなっている。
【０００８】
これは、前述したごとく、ディスクトレイ自体の重量が大きくなっていることから、例えば、図６のようなノート型パソコンをデスクトレイが内蔵されている側面から落下すると、２００Ｇ以上の重力加速度による衝撃荷重がディスクトレイに加わることがある。そうすると、図７に示すロックピンはロックレバーにより破損あるいは取付部から曲げられ、ディスクトレイが飛び出すこととなる。
【０００９】
このような状態に至ると、ディスクトレイはパソコン本体に収めてロックできなくなる状態となってその場での使用ができなくなることを意味し、パソコンによる情報の記録などの重要な仕事が中断されることになる。そして、その修理は製造者へ届けられ、ディスク装置全体の交換などにより対応することになる。
【００１０】
本発明は、かかる従来の問題に鑑みなされたもので、イジェクト／ロック機構の他に衝撃荷重が加わったときのみ作動するロック機構を設け、イジェクト／ロック機構を保護するとともに、衝撃荷重を受けてもディスクトレイが飛び出すのを未然に防止できるようにしたものである。
【００１１】
【課題を解決するための手段】
そこで本発明は、シャーシケース内でディスクトレイを前進後退させて記録媒体とともにロード／アンロードを行うとともに、前記ディスクトレイをロードしたときにイジェクト／ロック機構（Ｂ）のロックレバー（Ｂ１）がロックピンと係合してロード状態が固定されるディスク装置において、前記ディスクトレイ又は前記シャーシケースの何れか一方に揺動可能に設けられ、ロード状態において、前記ディスクトレイ又は前記シャーシケースの何れか他方と係合するロックレバー（７）と、ロード状態において、前記ディスクトレイがアンロードする方向へ移動する衝撃荷重を受けたとき、前記ロックレバー（７）の方向にスライドして該ロックレバー（７）と接触し、該ロックレバー（７）の係合解除方向への揺動を阻止するスライダーブロック（８）と、を有するロック機構（Ｃ）を設けた。
【００１２】
【発明の実施の形態】
以下、本発明の実施の形態を図にもとづいて詳細に説明する。なお、以下に説明する実施例は、ディスク装置をパソコン本体に内蔵した構成を前提とするものであるが、本発明はこれに限らず、外付け形式のディスク装置にも実施を可能とするものである。また、本発明のロック機構をディスク装置のディスクトレイに実施した形態の実施例にもとづいて説明するが、ディスクトレイを収容するシャーシケースに実施した形態においても所期の目的を達成することができる。
【００１３】
図１は本発明を実施したディスク装置であり、ディスクトレイ１の底面から金属薄板で成型したシールドカバーを取り外した状態を示したもので、このディスクトレイには半導体集積回路などの電子部品を備える配線基板２が実装されており、中央部には光ディスクおよびヘッドユニットを駆動するための駆動系ユニットＡが配置され、前端の角隅部にはディスクトレイのイジェクト／ロック機構Ｂが配設されている。
【００１４】
つぎに、符号３はシャーシケースを示し、同図ではこのシャーシケースの底板が現れている状態を示す。そして、シャーシケース３の底板にはディスクトレイのロックピン４が内部に向かって立ち上がった状態で固定されており、ディスクトレイ１をロードしたとき、前記イジェクト／ロック機構ＢのロックレバーＢ１が係合する。
【００１５】
図２はディスクトレイ１とシールドシャーシ３との組立状態を示す斜視図であり、ディスクトレイ１はその両側をガイドレール５で遊嵌状態で支持されており、さらに、このガイドレールがシャーシケース３の側壁３ａに固定された支持レール６に摺動可能に支持されている。
【００１６】
つぎに、本発明のロック機構Ｃは、図１に示すごとくディスクトレイ１の奥部に配設されており、可動要素となるロックレバー７とスライダーブロック８を主体に構成されている。図３はロック機構Ｃの構成を詳細に示したもので、揺動可能のロックレバー７は、ディスクトレイ１に起立成形されたポスト９に装着した捻りコイルバネ１０のアーム１０ａが掛け止めされているため、ロックレバー７はその支点７ｂを中心にして時計回り方向に付勢されている。
【００１７】
一方、スライダーブロック８は、その主体下部に平行する一対のソリ足８ａ・８ｂが形成されており、このソリ足はディスクトレイ１に形成されたアングル片１１ａ・１１ｂに支持されている。したがって、このスライダーブロック８は前後方向にスライド可能となり、前記捻りコイルバネ１０のアーム１０ｂにより、常時、トレイ後端方向へ付勢されているが、ディスクトレイ１に形成された配線基板２を固定するネジ受けボス１２に当接した位置で停止している。
【００１８】
なお、前記捻りコイルバネ１０のバネ力は、ロックレバー７とスライダーブロック８を定位置に定めておける程度の軽微なものでよい。また、スライダーブロック８は質量の高い合成樹脂あるいは金属で成形されたものにより、機械的応答性が高くなるようにすることが望ましい。
【００１９】
前記ロックレバー７は、図４に示すごとくディスクトレイ１がシャーシケース３に完全に収まったロード状態では、図５（Ａ）に示すごとくディスクトレイ１の側壁の窓孔１ａ、ガイドレール５の窓孔５ａ、支持レール６の窓孔６ａ、シャーシケースの側壁３ａの窓孔３ｂが一致し、ロックレバー７の先端７ａが前記各窓孔に臨んだ状態で静止する。
【００２０】
一方、ディスクトレイ１のアンロードが開始され移動が始まると、ロックレバー７の先端７ａは直ちにシャーシケースの側壁３ａの窓孔３ｂおよび支持レール６の窓孔３に押し上げられ、図５（Ｂ）に示すごとくガイドレール５の内壁に乗り上げ、この内壁にロックレバー７の先端７ａが摺接しながら移動を継続する。
【００２１】
図５（Ｂ）は衝撃荷重を受けていない正常な状態におけるロック機構Ｃの動作であるが、ディスクトレイ１がロードされている状態、即ち、ロック機構Ｃが図５（Ａ）に示す状態にあるとき、パソコン本体の落下などによりディスクトレイ１にディスクトレイ排出方向の衝撃荷重が加わると、その瞬間、即ち、ディスクトレイ１が移動を開始する前にスライダーブロック８がロックレバー７の方向にスライドし、スライダーブロック８の頂部が図５（Ｃ）に示すごとくロックレバー７と接触する。
【００２２】
この状態になると、スライダーブロック８が楔となった状態となり、ロックレバー７の反時計回り方向への揺動が阻止され、ロックレバー７の先端７ａがシャーシケースの窓孔３ｂとガイドレール５の窓孔５ａに乗り上げた状態が維持される。したがって、ディスクトレイ１は静止した状態が維持されるため、ロックピン４とイジェクト／ロック機構ＢのロックレバーＢ１との間にかかる強制的な負荷が低減され、その破損を阻止することができる。
【００２３】
なお、衝撃荷重の加わったときのスライダーブロック８の挙動は瞬間的なものであり、捻りコイルバネ１０の作用により図５（Ａ）の位置へ直ちに復帰するが、衝撃荷重は、通常、一時的にごく短時間に発生するものであるので、ロックレバー７の揺動を瞬間的に阻止するだけで十分に目的を達成することができる。
【００２４】
また、本発明は上記のようにスライダーブロック８がディスクトレイ１の移動方向と平行する方向に移動するようにしており、これにより、ディスクトレイの排出方向に衝撃荷重が加わったとき、このスライダーブロック８が衝撃荷重に直接応動し、ディスクトレイの排出方向にスライドしてロックレバー７に対する楔となるようにしている。このように構成していることにより、衝撃荷重に対する反応動作が、例えば、回転する動きに転換されるようなことがないので、機械的応答性を高いものとすることができ、イジェクト／ロック機構の破損を確実に阻止することができる。
【００２５】
【発明の効果】
以上、詳細に説明したごとく本発明によれば、衝撃荷重に応動するロック機構を設けたので、パソコンの落下などよりディスクトレイがそのイジェクト／ロック機構を破壊して飛び出すようなことがなく、きわめて安全性、信頼性が高いディスク装置とすることができる。
【図面の簡単な説明】
【図１】本発明を実施したディスク装置の底面を示す図である。
【図２】本発明を実施したディスク装置の斜視図である。
【図３】本発明によるロック機構の構成を示す斜視図である。
【図４】本発明によるロック機構が配設されている状態を示す図である。
【図５】本発明によるロック機構の動作態様を示す図である。
【図６】ノート型パソコンの外観を示す図である。
【図７】ディスク装置の外観を示す図である。
【図８】イジェクト／ロック機構の例を示す図である。
【符号の説明】
１・・・・・・ディスクトレイ
２・・・・・・配線基板
３・・・・・・シャーシケース
４・・・・・・ロックピン
５・・・・・・ガイドレール
６・・・・・・支持レール
７・・・・・・ロックレバー
８・・・・・・スライダーブロック
９・・・・・・ポスト
１０・・・・・捻りコイルバネ
【図１】
0003885635.tif 000002
【図２】
0003885635.tif 000003
【図３】
0003885635.tif 000004
【図４】
0003885635.tif 000005
【図５】
0003885635.tif 000006
【図６】
0003885635.tif 000007
【図７】
0003885635.tif 000008
【図８】
0003885635.tif 000009